(57)【特許請求の範囲】
【請求項１】
電池により電源供給して操作部により機器本体の遠隔操作を行うリモートコントローラにおいて、
電池の残留容量を表示する残留表示部と前記機器本体の運転状況を示す液晶パネルとを備えを備え、前記液晶パネル内に前記残留表示部を設けるとともに、前記機器本体が停止されている時に前記残留表示部のみを表示したことを特徴とするリモートコントローラ。
【請求項２】
前記残留表示部が前記液晶パネル内の前記操作部に隣接した一辺に沿って配されることを特徴とする請求項１に記載のリモートコントローラ。
【請求項３】
前記残留容量が所定量よりも小さくなった際に前記残留表示部が点滅することを特徴とする請求項１又は２に記載のリモートコントローラ。
【請求項４】
前記残留容量が消失するまで前記残留表示部を表示したことを特徴とする請求項１〜３のいずれかに記載のリモートコントローラ。
【発明の詳細な説明】
【技術分野】
【０００１】
本発明は電池の残留容量を表示するリモートコントローラに関する。
【背景技術】
【０００２】
特許文献１には従来のリモートコントローラを備えた空気調和機が開示されている。このリモートコントローラは電池により電源供給され、操作スイッチ、通信部及び表示部を備える。操作スイッチはエアコンなどの機器本体の遠隔操作を通信部を介して行う。表示部は液晶パネルにより形成されて動作モード等の機器本体の運転状況が表示される。また、表示部には電池の残留容量を表示する電池アイコン（残留表示部）が設けられる。
【０００３】
上記構成の空気調和機において、残留容量が十分な場合(例えば２．８Ｖ以上)には操作スイッチが操作された時に表示部に操作情報が表示される。この時、表示部には電池アイコンは表示されない。
【０００４】
一方、残留容量が少ない場合(例えば２．８Ｖ以下)には操作スイッチが操作された時に表示部には操作情報が表示される。そして、スイッチを操作して１分後に表示部から操作情報の表示は消え、電池アイコンが表示される。
【０００５】
残留容量がさらに少ない場合(例えば２．６Ｖ以下)には操作スイッチが操作された時に表示部には操作情報が表示されず、電池アイコンが表示される。一方、機器本体の運転停止中には表示部に操作情報及び電池アイコンは表示されない。
【先行技術文献】
【特許文献】
【０００６】
【特許文献１】特開２００５−０７９８０５号公報
【発明の概要】
【発明が解決しようとする課題】
【０００７】
しかしながら、上記従来のリモートコントローラによると、表示部に操作情報及び電池アイコンが表示されない時に電池の残留容量が消失しているのか又は機器本体の運転停止中なのかが区別できない。このため、電池の残留容量を確認するためにはスイッチの操作を行う必要があり、リモートコントローラの利便性が低下するという問題がある。
【０００８】
また、リモートコントローラ自体が故障している場合、電池の残留容量が無くて操作できないのか、リモートコントローラ自体が故障しているのかを容易に判断できないという問題がある。
【０００９】
本発明は、故障の判断を容易にするとともに、電池の残留容量を速やかに把握できて使い勝手の良いリモートコントローラを提供することを目的とする。
【課題を解決するための手段】
【００１０】
上記目的を達成するため、本発明のリモートコントローラは、電池により電源供給して操作部により機器本体の遠隔操作を行うリモートコントローラにおいて、電池の残留容量を表示する残留表示部を備え、前記機器本体が停止されている時に前記残留表示部を表示したことを特徴とする。
【００１１】
この構成によると、機器本体が運転している時だけでなく、停止されている時にも残留表示部を表示する。
【００１２】
また本発明は、上記構成のリモートコントローラにおいて、前記機器本体の運転状況を示す液晶パネルを備え、前記液晶パネル内に前記残留表示部を設けたことを特徴とする。
【００１３】
また本発明は、上記構成のリモートコントローラにおいて、前記残留表示部が前記液晶パネル内の前記操作部に隣接した一辺に沿って配されることを特徴とする。この構成によると、残留表示部は操作部と近傍した位置に配される。
【００１４】
また本発明は、上記構成のリモートコントローラにおいて、前記残留容量が所定量よりも小さくなった際に前記残留表示部が点滅することを特徴とする。
【００１５】
また本発明は、上記構成のリモートコントローラにおいて、前記残留容量が消失するまで前記残留表示部を表示したことを特徴とする。
【発明の効果】
【００１６】
本発明によると、機器本体が停止されている時に残留表示部を表示したため、電池の残留容量を速やかに把握できて使い勝手を向上することができる。また、機器本体が動作しない場合、リモートコントローラの電池の残留容量が無いことが原因か、左記以外が原因かを容易に判断できる。よって、電池を新たに交換した場合、電池の残留容量表示が無ければリモートコントローラそのものが故障していることが容易に判断できる。
【図面の簡単な説明】
【００１７】
【図１】本発明の実施形態の空気調和器を示す斜視図
【図２】本発明の実施形態のリモートコントローラを示す正面図
【図３】本発明の実施形態のリモートコントローラの表示部を示す正面図
【図４】本発明の実施形態のリモートコントローラの表示部を示す正面図
【図５】本発明の実施形態のリモートコントローラの表示部を示す正面図
【発明を実施するための形態】
【００１８】
以下に本発明の実施形態について図面を参照して説明する。図１は一実施形態の空気調和器１の斜視図を示している。空気調和器１は室内機１１、室外機１０及びリモートコントローラ３０を備えている。室内機１１及び室外機１０はリモートコントローラ３０により遠隔操作される機器本体１００を構成する。
【００１９】
固定部（不図示）により室内の壁に取り付けられる室内機１１は吸込口１１ｂ及び吹出口１１ａが設けられる。吸込口１１ｂは室内機１１の上部に設けられ、吹出口１１ａは室内機１１の下部に設けられる。室内機１１の内部には吸込口１１ｂから吹出口１１ａに連通する送風経路（不図示）が形成されている。送風経路内には空気を送出する送風ファン（不図示）が配されている。送風ファンとして例えば、クロスフローファン等を用いることができる。
【００２０】
室内機１１の前面にはフロントパネル１１ｃが設けられる。室内機１１内のフロントパネル１１ｃに対向する位置には吸込口１１ｂから吸い込まれた空気に含まれる塵埃を捕集・除去するエアフィルタ（不図示）が設けられている。送風経路中の送風ファンとエアフィルタとの間には、室内熱交換器（不図示）が配置されている。
【００２１】
室内熱交換器は屋外に配される室外機１０に配管８を介して接続されており、室外機１０の駆動により冷凍サイクルが運転される。冷凍サイクルの運転によって冷房時には室内熱交換器が周囲温度よりも低温に冷却される。また、暖房時には、室内熱交換器が周囲温度よりも高温に加熱される。
【００２２】
室内機１１はリモートコントローラ３０と無線通信を行う通信部（不図示）を有する。リモートコントローラ３０は電池により電源供給して室内機１１の遠隔操作を行う。
【００２３】
図２はリモートコントローラ３０を示す正面図である。平面視略矩形の薄箱に形成されるリモートコントローラ３０は操作部３４、液晶パネル３１及び通信部（不図示）を備える。
【００２４】
操作部３４の上部には運転ボタン３２ａ、運転ランプボタン３２ｂ、急速ボタン３２ｃ及び停止ボタン３２ｄが配される。運転ボタン３２ａを押圧すると機器本体１００の運転が開始される。運転ランプボタン３２ｂを押圧すると、室内機１１に設けられる運転ランプ（不図示）の明るさが切り替えられる。運転ランプボタン３２ｂを順に押圧すると、運転ランプの明るい状態、暗い状態、切れた状態、という順に切り替わる。
【００２５】
急速ボタン３２ｃを押圧すると、室内機１１の風量が急速状態に保たれて運転される。停止ボタン３２ｄを押圧すると、機器本体１００の電源が切られる。
【００２６】
操作部３４の下部には十字状に風向上ボタン３３ａ、風向下ボタン３３ｂ、風量強ボタン３３ｃ及び風量弱ボタン３３ｄが配される。風向上ボタン３３ａを押圧すると、室内機１１から送風される風向きを上に移動させる。風向下ボタン３３ｂを押圧すると、室内機１１から送風される風向きを下に移動させる。
【００２７】
風量弱ボタン３３ｃを押圧すると、室内機１１から送風される風量を弱くする。風量強ボタン３３ｄを押圧すると、室内機１１から送風される風量を強くする。
【００２８】
液晶パネル３１はリモートコントローラ３０の上端と運転ランプボタン３２ｂ、急速ボタン３２ｃとの間に配される。図３は液晶パネル３１を示す正面図である。液晶パネル３１には風向アイコン３１ａ、風量アイコン３１ｂ及び電池アイコン（残留表示部）３１ｃが設けられる。
【００２９】
風向アイコン３１ａ、風量アイコン３１ｂは液晶パネル３１の左右の端部にそれぞれに配されて機器本体１００の運転状況を示す。風向アイコン３１ａは室内機１１から送風される室内への風向きを示し、風向きに応じて形状が変化する。風量アイコン３１ｂは室内機１１からの送風量を示し、送風量に応じて形状が変化する。
【００３０】
電池アイコン３１ｃは液晶パネル３１内の左下部に配される。これにより、電池アイコン３１ｃは操作部３４に隣接した液晶パネル３１の下辺に沿って配される。電池アイコン３１ｃは電池の形をしており、電池の残留容量を表示する。また、リモートコントローラ３０は通信部（不図示）を介して室内機１１と無線通信を行う。
【００３１】
上記構成の空気調和機１において、ユーザはリモートコントローラ３０の運転ボタン３２ａを押圧して機器本体１００の運転を開始する。機器本体１００の運転が開始されると、室外機１０の送風ファンが回転駆動され、室外機１０からの冷媒が室内熱交換器（不図示）へ流れて冷凍サイクルが運転される。これにより、室内機１１内には吸込口１１ｂから空気が吸い込まれ、エアフィルタ（不図示）によって空気中に含まれる塵埃が除去される。そして、吹出口１１ａから調節空気が送出される。
【００３２】
この時、図３に示すように液晶パネル３１内には機器本体１００の運転状況が風向アイコン３１ａ、風量アイコン３１ｂにより表示される。また、電池の残留容量を表示する電池アイコン３１ｃが表示される。電池の残留容量が十分多い時には電池アイコン３１ｃ内には３つの矩形のインジケータが表示され、残留容量の減少に伴ってインジケータが減少する。
【００３３】
ユーザがリモートコントローラ３０の停止ボタン３２ｄを押圧すると、機器本体１００の電源が遮断されて運転が停止される。図４は機器本体１００の運転停止時のリモートコントローラ３０の液晶パネル３１を示す正面図である。このように、機器本体１００の運転が停止されている時でも、液晶パネル３１には電池アイコン３１ｃが表示される。
【００３４】
一方、機器本体１００の運転が停止されている時に電池の残留容量が所定量よりも小さくなった際、図５に示すように電池アイコン３１ｃ内には１つのインジケータが表示される。この時、電池アイコン３１ｃが点滅してもよい。これにより、電池アイコン３１ｃの視認性が向上する。そして、残留容量が消失するまで電池アイコン３１ｃは液晶パネル３１内に表示される。
【００３５】
本実施形態によると、機器本体１００が停止されている時に電池アイコン３１ｃ（残留表示部）を表示したため、電池の残留容量を速やかに把握できて利便性が向上することができる。
【００３６】
さらに、機器本体１００が動作しない場合、リモートコントローラ３０の電池の残留容量が無いことが原因か、左記以外が原因かを容易に判断できる。よって、電池を新たに交換した場合、電池の残留容量表示が無ければ、リモートコントローラ３０そのものが故障していることが容易に判断できる。
【００３７】
また、消費電力の少ない液晶パネル３１内に電池アイコン３１ｃによる残量を表示する、リモートコントローラ３０の省電力化を図ることができる。
【００３８】
また、電池アイコン３１ｃが液晶パネル３１内の操作部３４に隣接した一辺に沿って配することで、ユーザが目に付きやすい。よって、ユーザが操作時に意図せず電池の残留容量を確認することができ、利便性が向上される。
【００３９】
また、残留容量が所定量よりも小さくなった際に電池アイコン３１ｃが点滅するために、ユーザは電池の残留容量が少なくなったことを容易に判断できる。
【００４０】
また、残留容量が消失するまで電池アイコン３１ｃを表示したため、電池の交換時期を直ぐに把握できる。
【００４１】
本実施形態において、ＬＣＤの液晶パネル３１に変えて有機ＥＬを用いて電池アイコン３１ｃを表示してもよい。また、ＬＥＤ光源を用いて残留表示部を構成してもよい。また、電池アイコン３１ｃは操作部３４の近傍に配されていればよい。
【産業上の利用可能性】
【００４２】
本発明によると、電池の残留容量を表示するリモートコントローラに利用することができる。
【符号の説明】
【００４３】
１      空気調和器
１０    室外機
１１    室内機
１１ａ  吹出口
１１ｂ  吸込口
１１ｃ  フロントパネル
３０    リモートコントローラ
３１    液晶パネル
３１ａ  風向アイコン
３１ｂ  風量アイコン
３１ｃ  電池アイコン（残留表示部）
３４    操作部
１００  機器本体
【図１】
0005851889.tif 000002
【図２】
0005851889.tif 000003
【図３】
0005851889.tif 000004
【図４】
0005851889.tif 000005
【図５】
0005851889.tif 000006